(57)【要約】【課題】冷却空気を取り入れる空気吸込口にエアフィルタが取り付けられた電子機器において、電源が何時切断されても確実にエアフィルタの自動掃除運転を行えるようにした電子機器を提供すること。【解決手段】冷却空気を取り入れる空気吸込口にエアフィルタが取り付けられるとともに、このエアフィルタの目詰まりを防ぐためにエアフィルタが自動的に掃除されるように構成されている。そして、エアフィルタの掃除運転シーケンスの途中で電源が切断された場合には、その後の電子機器の運転時に未完の掃除運転シーケンスが完了される。例えば、電子機器としての投写型映像表示装置の運転開始時にエアフィルタが自動掃除運転されるようにしてもよい。また、この動作に加えて、エアフィルタの目詰まりが検出された場合にエアフィルタを自動掃除運転するようにしてもよい。【選択図】図４
2011258708.tif 000002
【特許請求の範囲】
【請求項１】
冷却空気を取り入れる空気吸込口にエアフィルタが取り付けられるとともに、このエアフィルタの目詰まりを防ぐためにエアフィルタが自動的に掃除されるように構成された電子機器において、
前記エアフィルタの掃除運転シーケンスの途中において電源が切断された場合には、その後の電子機器の運転時に未完の掃除運転シーケンスが完了される
ことを特徴とする電子機器。
【請求項２】
請求項１記載の電子機器において、
前記掃除運転シーケンスは、電子機器の運転開始時にエアフィルタが自動掃除運転される構成である
ことを特徴とする電子機器。
【請求項３】
請求項１記載の電子機器において、
前記掃除運転シーケンスは、電子機器の運転開始時にエアフィルタが自動掃除運転されるとともに、この自動掃除運転終了後の電子機器の定常運転中においては、エアフィルタの目詰まりが検出された場合にその都度エアフィルタの自動掃除運転が行われる
ことを特徴とする電子機器。
【請求項４】
請求項１記載の電子機器において、
前記掃除運転シーケンスは、エアフィルタの目詰まりが検出された場合に目詰まり状態を表す目詰まりフラグが１にセットされるとともに、エアフィルタの自動掃除運転が終了したときに前記目詰まりフラグが０にリセットされ、さらに、電子機器の運転開始時は、前記目詰まりフラグが１にセットされている場合にエアフィルタの自動掃除運転が行われ、電子機器の定常運転中は、エアフィルタの目詰まりが検出されて前記目詰まりフラグが１にセットされた場合に、その都度エアフィルタの自動掃除運転が行われる
ことを特徴とする電子機器。
【請求項５】
請求項１記載の電子機器において、
前記掃除運転シーケンスは、エアフィルタの累積使用時間をカウントするとともにこれを記憶し、累積使用時間がエアフィルタの目詰まりを予測して設定された設定時間以上となった場合にエアフィルタの自動掃除運転を行い、この自動掃除運転が完了した場合に記憶している累積使用時間を０にリセットするとともに累積使用時間を０から新たにカウントする
ことを特徴とする電子機器。
【請求項６】
請求項１記載の電子機器において、
前記掃除運転シーケンスは、電子機器の運転中にエアフィルタの目詰まりが検出された場合にエアフィルタの目詰まり状態を表す目詰まりフラグを１にセットするとともにこれを記憶し、電子機器の運転開始時において前記目詰まりフラグが１である場合にのみエアフィルタの自動掃除運転を行い、この自動掃除運転が完了した場合に前記目詰まりフラグを０にリセットする
ことを特徴とする電子機器。
【請求項７】
請求項１記載の電子機器において、
前記掃除運転シーケンスは、エアフィルタの累積使用時間をカウントするとともにこれを記憶し、電子機器の運転開始時においてエアフィルタの累積使用時間が設定時間以上となっている場合にのみエアフィルタの自動掃除運転を行い、この自動掃除運転が完了した場合に記憶している累積使用時間を０にリセットするとともに、累積使用時間を０から新たにカウントする
ことを特徴とする電子機器。
【発明の詳細な説明】
【技術分野】
【０００１】
本発明は、電子機器に関し、特に、エアフィルタを自動的に掃除するエアフィルタ装置を備えた電子機器に関する。
【背景技術】
【０００２】
従来パーソナルコンピュータ、投写型映像表示装置等の電子機器では、部品を冷却するために機外空気を吸入し、これを冷却空気として送風する方法が取られている。特に、投写型映像表示装置では、光源に用いられる光源ランプが高温になるため、この光源ランプを始め種々の光学系機器を冷却空気で冷却するようにしている。
【０００３】
また、このような電子機器では、吸い込む空気中の塵埃を捕捉するためにエアフィルタが用いられている。しかし、エアフィルタは時間の経過とともに捕捉された塵埃が蓄積されて目詰まりする。また、エアフィルタが目詰まりすると、導入する空気量が減少し、冷却効果が低下する。この問題を解決するために、従来は、手作業でエアフィルタの掃除が行われるのが通常であった。しかし、手作業で掃除することは面倒であるため、最近ではエアフィルタを自動的に掃除するものが開発されている。
【０００４】
特許文献１はその一例であって、投写型映像表示装置の筐体の空気吸込口（特許文献１では吸気口）からエアフィルタ（特許文献１では吸気フィルタ）を通して機外空気が吸い込まれ、冷却した後の空気が筐体の一面に設けられた排気口から排気されている。また、この投写型映像表示装置には、エアフィルタが目詰まりしないようにエアフィルタに付着した塵埃を自動的に除去する塵埃除去機構が設けられていた。
【０００５】
そして、この投写型映像表示装置では、映写が終了して光源ランプを消灯した後、所定時間経過後に冷却空気循環用のファンを停止し、この状態で操作部の終了ボタンが押された場合に、エアフィルタの塵埃を自動的に除去するエアフィルタの自動掃除運転が行われていた。これによりエアフィルタの目詰まりの防止が図られていた。
【先行技術文献】
【特許文献】
【０００６】
【特許文献１】特開２００８−１７０８０８号公報
【発明の概要】
【発明が解決しようとする課題】
【０００７】
ところが、投写型映像表示装置を接続する設備では、投写型映像表示装置などの個々の機械毎に電源を切るような設備になっていないことが多く、一連の設備システムの電源が１箇所に纏められていることが多い。また、投写型映像表示装置においてはエアフィルタの自動掃除運転が視聴終了後に行われていたため、エアフィルタの自動掃除運転に対するユーザの注意力が低いなどの理由により、投写型映像表示装置のエアフィルタの自動掃除運転を含む終了シーケンスが完了する前に電源が切断されるという問題があった。また、投写型映像表示装置における電源の切断は、設備の取り扱いミスなどを含めると運転終了間際に限らず途中においても起こりうる。したがって、エアフィルタの自動掃除運転を予定通りに確実に行えるようにするには、電子機器の運転中における電源の遮断も含め対策することが必要と考えられる。また、従来の電子機器においてはこのようなことまで考慮されたものが開発されていなかった。
【０００８】
本発明は、従来技術におけるこのような課題に鑑み成されたものであって、冷却空気を取り入れる空気吸込口にエアフィルタが取り付けられた電子機器において、電源が何時切断されても確実にエアフィルタの自動掃除運転を行えるようにした電子機器を提供することにある。
【課題を解決するための手段】
【０００９】
本発明に係る電子機器は、上記課題を解決するためになされたものであって、冷却空気を取り入れる空気吸込口にエアフィルタが取り付けられるとともに、このエアフィルタの目詰まりを防ぐためにエアフィルタが自動的に掃除されるように構成された電子機器において、前記エアフィルタの掃除運転シーケンスの途中において電源が切断された場合には、その後の電子機器の運転時に未完の掃除運転シーケンスが完了されることを特徴とする。
【００１０】
このように構成された本発明に係る電子機器によれば、掃除運転シーケンスの途中において電源が切断されたとしても、その後の電子機器の運転時に未完の掃除運転シーケンスが完了されるので、エアフィルタの自動掃除運転がなされずそのまま放置され、エアフィルタが目詰まりするおそれがない。
【００１１】
また、前記掃除運転シーケンスは、電子機器の運転開始時にエアフィルタが自動掃除運転される構成としてもよい。このように構成すれば、電子機器の電源が何時切断されても、その後の電子機器の運転開始時にエアフィルタが必ず掃除されるので、エアフィルタの目詰まりを防止することができる。また、起動時から冷却システムの吸気性能が回復されるので、起動時から効率のよい冷却効果を得ることができる。
【００１２】
また、前記掃除運転シーケンスは、電子機器の運転開始時にエアフィルタが自動掃除運転されるとともに、この自動掃除運転終了後の電子機器の定常運転中においては、エアフィルタの目詰まりが検出された場合にその都度エアフィルタの自動掃除運転が行われるようにしたものでもよい。このように構成すると、電子機器の運転開始時には、目詰まりしているか否かに関係なくエアフィルタの自動掃除運転が必ず行われる。したがって、起動時から冷却システムの吸気性能が回復されるので、起動時から効率のよい冷却効果を得ることができる。また、定常運転時において目詰まりが生じた場合には、その都度エアフィルタの自動掃除運転が行われる。これにより、エアフィルタの目詰まりが確実に防止され、冷却システムの吸気機能が回復される。したがって、長期間運転が継続されるような用途には、好適である。
【００１３】
また、前記掃除運転シーケンスは、エアフィルタの目詰まりが検出された場合に目詰まり状態を表す目詰まりフラグが１にセットされるとともに、エアフィルタの自動掃除運転が終了したときに前記目詰まりフラグが０にリセットされ、さらに、電子機器の運転開始時は、前記目詰まりフラグが１にセットされている場合にエアフィルタの自動掃除運転が行われ、電子機器の定常運転中は、エアフィルタの目詰まりが検出されて前記目詰まりフラグが１にセットされた場合に、その都度エアフィルタの自動掃除運転が行われるようにしてもよい。このように構成すると、電子機器の運転開始時は、エアフィルタの自動掃除運転が必ず行われるのではなく、エアフィルタの目詰まりが生じている場合にのみエアフィルタの自動掃除運転が行われる。そして、この自動掃除運転中に電源が切断された場合には目詰まりフラグが０にリセットされずに自動掃除運転が中断される。そのため、その後の運転開始時においては目詰まりフラグが１にセットされた状態であり、エアフィルタの自動掃除運転が再開される。したがって、電子機器の運転開始時必ず自動掃除運転が行われるものと比較すると、無駄の少ない合理的な運転が行われる。また、電子機器の定常運転中は、前述のものと同様エアフィルタの目詰まりが検出されて目詰まりフラグが１となった場合に、その都度エアフィルタの自動掃除運転が行われる。したがって、エアフィルタの目詰まりが確実に防止される。
【００１４】
前記掃除運転シーケンスは、エアフィルタの累積使用時間をカウントするとともにこれを記憶し、累積使用時間がエアフィルタの目詰まりを予測して設定された設定時間以上となった場合にエアフィルタの自動掃除運転を行い、この自動掃除運転が完了した場合に記憶している累積使用時間を０にリセットするとともに累積使用時間を０から新たにカウントするようにしてもよい。このように構成すると、エアフィルタの累積使用時間が０にリセットされた後において設定時間以上となった場合には、エアフィルタの自動掃除運転が行われる。また、エアフィルタの累積使用時間は、エアフィルタの自動掃除運転が完了したときに０にリセットされるので、万一、電源の切断によりエアフィルタの自動掃除運転が未完のまま電子機器の運転が終了された場合には、エアフィルタの累積使用時間が０にリセットされない。このため、その後の電子機器の運転開始時においては、エアフィルタの累積使用時間が設定時間以上となったまま記憶されており、エアフィルタの自動掃除運転が再開される。
【００１５】
また、前記掃除運転シーケンスは、電子機器の運転中にエアフィルタの目詰まりが検出された場合にエアフィルタの目詰まり状態を表す目詰まりフラグを１にセットするとともにこれを記憶し、電子機器の運転開始時において前記目詰まりフラグが１である場合にのみエアフィルタの自動掃除運転を行い、この自動掃除運転が完了した場合に前記目詰まりフラグを０にリセットするようにしてもよい。このようにすると、運転開始時において目詰まりフラグが１の場合、すなわちエアフィルタが目詰まりしている場合にのみエアフィルタの自動掃除運転が行われる。また、目詰まりフラグはエアフィルタの自動掃除運転が完了したときに０にリセットされるので、万一、電源の切断によりエアフィルタの自動掃除運転が未完のまま電子機器の運転が終了された場合には、自動掃除途中の状態で停止され、目詰まりフラグが１のまま記憶されている状態となる。このため、その後の電子機器の運転開始時においては、目詰まりフラグが１であるためエアフィルタの自動掃除運転が再開される。このようにしてエアフィルタの目詰まりが防止される。また、定常運転中は、自動掃除運転が行われないので、自動掃除運転の騒音により視聴が妨げられることがない。
【００１６】
また、前記掃除運転シーケンスは、エアフィルタの累積使用時間をカウントするとともにこれを記憶し、電子機器の運転開始時においてエアフィルタの累積使用時間が設定時間以上となっている場合にのみエアフィルタの自動掃除運転を行い、この自動掃除運転が完了した場合に記憶している累積使用時間を０にリセットするとともに、累積使用時間を０から新たにカウントするようにしてもよい。このようにすると、運転開始時においてエアフィルタの累積使用時間が設定時間以上となっている場合にのみエアフィルタの自動掃除運転が行われる。また、累積使用時間は、エアフィルタの自動掃除運転が完了したときに０にリセットされるので、万一、電源の切断によりエアフィルタの自動掃除運転が未完のまま電子機器の運転が終了された場合には、累積使用時間が設定時間以上となっている状態のまま記憶されている。このため、その後の電子機器の運転開始時においては、累積使用時間が設定時間以上となっており、エアフィルタの自動掃除運転が再開される。これによりエアフィルタの目詰まりが防止される。また、定常運転中は、自動掃除運転が行われないので、自動掃除運転の騒音により視聴が妨げられることがない。
【発明の効果】
【００１７】
本発明に係る電子機器によれば、掃除運転シーケンスの途中において電源が切断されたとしても、その後の電子機器の運転時に未完の掃除運転シーケンスが完了するように運転されるので、エアフィルタの掃除運転がなされずそのまま放置され、エアフィルタが目詰まりを生ずるというおそれがない。
【図面の簡単な説明】
【００１８】
【図１】本発明の実施の形態１に係るフィルタユニットを用いた電子機器としての投写型映像表示装置の下方から見た斜視図である。
【図２】同投写型映像表示装置の機能ブロック図である。
【図３】同投写型映像表示装置におけるエアフィルタの掃除運転シーケンスを説明するフローチャートである。
【図４】実施の形態２に係る投写型映像表示装置におけるエアフィルタの掃除運転シーケンスを説明するフローチャートである。
【図５】実施の形態３に係る投写型映像表示装置におけるエアフィルタの掃除運転シーケンスを説明するフローチャートである。
【図６】同実施の形態に使用される第１自動掃除運転サブルーチンのフローチャートである。
【図７】実施の形態４に係る投写型映像表示装置におけるエアフィルタの掃除運転シーケンスを説明するフローチャートである。
【図８】同実施の形態に使用される第２自動掃除運転サブルーチンを示すフローチャートである。
【図９】同実施の形態に係る掃除運転シーケンスのタイミングチャートである。
【図１０】実施の形態５に係る投写型映像表示装置におけるエアフィルタの掃除運転シーケンスを説明するフローチャートである。
【図１１】実施の形態６に係る投写型映像表示装置におけるエアフィルタの掃除運転シーケンスを説明するフローチャートである。
【図１２】同実施の形態に係る掃除運転シーケンスのタイミングチャートである。
【発明を実施するための形態】
【００１９】
実施の形態１
以下、本発明の実施の形態１に係る電子機器としての投写型映像表示装置について図面を参照しながら説明する。なお、以下の説明において、上下左右方向又は前後方向をいうときは、各図における上下左右方向又は前後方向をいうものとする。
【００２０】
本実施の形態に係る電子機器としての投写型映像表示装置は、３板式液晶投写型映像表示装置であって、図１の外観斜視図に示すような箱型の外装ケース１を備えている。外装ケース１は、底部四隅に脚部２を有しており、底部から冷却空気としての機外空気を吸い込むように構成されている。そして、この外装ケース１には、機内に機外空気を取り入れる空気吸込口３にエアフィルタ装置が配置されている。
【００２１】
エアフィルタ装置は、エアフィルタ１１と、エアフィルタ１１を自動的に掃除する装備とがユニット化されたものであって、フィルタユニット１０として構成されている。このフィルタユニット１０は、外装ケース１に対し投写レンズ４が配置されている正面側からスライド式に着脱可能に形成されている。
【００２２】
フィルタユニット１０は、図２に概略図示するように、筐体１３上にエアフィルタ１１と、自走式掃除部１２と、筐体１３上におけるエアフィルタ１１の正面側及びその反対側に配置されたラック１４と、このラック１４に噛み合うピニオン１５とが取り付けられている。さらに、フィルタユニット１０には、自走式掃除部１２の移動を検知する待機位置センサ１６ａと折り返し位置センサ１６ｂ、自走式掃除部１２を投写型映像表示装置本体と電気的に接続するための基板１７などが取り付けられている。
【００２３】
また、自走式掃除部１２は、図２に示すように、エアフィルタ１１に捕捉された塵埃を掻き取るための回転ブラシ１８、ピニオン１５及び回転ブラシ１８を駆動するためのモータ１９、回転ブラシ１８により掻き取られた塵埃を溜めるためのダストボックス２０などを備えている。
【００２４】
エアフィルタ１１は、外装ケース１の底面に形成された空気吸込口３を閉塞するように設けられている。エアフィルタ１１は、下方空間に露出される１次エアフィルタ１１ａと、１次エアフィルタ１１ａの内部側、すなわち、その風下側に配置された２次エアフィルタ（不図示）とからなる。
【００２５】
自走式掃除部１２は、エアフィルタ１１の風上側表面を移動しながらエアフィルタ１１に捕捉されている塵埃を掻き取り、これによりエアフィルタ１１の吸気性能を回復させるものである。自走式掃除部１２の駆動は、モータ１９が駆動されることにより行われる。モータ１９が駆動されると、ピニオン１５がラック１４と噛み合いながら回転し、これにより自走式掃除部１２が自走するように構成されている。また、自走式掃除部１２の自走の際に、回転ブラシ１８が歯車機構（図示せず）を介し回転される。したがって、回転ブラシ１８は、回転しながらエアフィルタ１１上を移動し、これによりエアフィルタ１１に付着している塵埃を除去することができる。
【００２６】
自走式掃除部１２の位置は、図2の図示位置が非掃除時に待機している待機位置であり、エアフィルタ１１の塵埃を掻き取るときは図示左端の折り返し位置まで移動する。また、自走式掃除部１２は、図示左端の折り返し位置まで移動すると図示左端に設置された折り返し位置センサ１６ｂが作動し、この折り返し位置センサ１６ｂからの情報に基づき元の待機位置へ帰還するように制御される。なお、モータ１９は、基板１７を介しプロジェクタ本体側のモータ駆動部２８（後述参照）と接続されている。
【００２７】
このように構成された投写型映像表示装置は、図２の機能ブロック図に示されるような制御装置を備えている。
この投写型映像表示装置は、映像を生成するための要素として、映像信号入力部２１、映像信号処理部２２、液晶パネル駆動部２３、液晶パネル２４、光源ランプ２５、ランプ電源部２６を備えている。また、光学系機器の冷却システムに関連する吸気ファン２７、モータ駆動部２８、目詰まり検出部２９、記憶部３０を備えている。さらに、この投写型映像表示装置は、装置全体の動作を行うための制御部３１、操作部３２及び全体電源部３３を備えている。
【００２８】
映像信号入力部２１には各種映像再生機器からの映像信号が入力される。映像信号入力部２１に入力された映像信号は、Ａ／Ｄ変換、デコード等の適宜の処理が施されてデジタル信号に変換されて映像信号処理部２２へ出力される。
【００２９】
映像信号処理部２２においては、入力された映像信号に対しスケーリング処理、ガンマ補正、輝度補正などの一般的な映像処理が行われ、このような処理が行われた映像信号が液晶パネル駆動部２３へ出力される。
【００３０】
液晶パネル駆動部２３においては、映像信号処理部２２から入力された映像信号が緑色光用、赤色光用及び青色光用の各液晶セルを駆動することができる信号形態に変換される。また、この液晶パネル駆動部２３においては、緑色光用、赤色光用及び青色光用の各液晶セルを駆動のための駆動パルスが同時に生成される。
【００３１】
液晶パネル２４は、緑色光用、赤色光用及び青色光用の各液晶セルからなる。また、各液晶セルは、入力された映像信号に応じた回転角を持ち、分離光学系からの光を透過させることにより映像を作り出す。その表示映像は、投写レンズ４により所定距離離れた場所にあるスクリーンなどに結像される。
【００３２】
光源ランプ２５は、メタルハライドランプ、超高圧水銀ランプなどの放電型ランプを発光体とし、発光体からの照射光をリフレクタにより平行光として出射するものであって、使用中は高温となる。このため冷却を必要とする。光源ランプで生成された光は、光学系を介して液晶パネルに送られる。
【００３３】
ランプ電源部２６は、全体電源部３３から入力された直流の電圧を光源ランプ２５を駆動するのに適した波形の電圧に変換するものであって、光源ランプ２５の始動時あるいは定常動作時などに、それぞれに適した波形の電圧を出力する。
【００３４】
吸気ファン２７は、光源ランプ２５、液晶パネル２４、ランプ電源部２６などの高温になる機器を冷却する冷却空気とし機外空気を取り入れ、この空気をこれら機器へ送風するためのファンである。
【００３５】
モータ駆動部２８は、エアフィルタ１１の自動掃除運転時にフィルタユニット１０のモータ１９を駆動制御するものである。エアフィルタ１１に捕捉された塵埃を掻き取るときは、モータ１９を駆動して、回転ブラシ１８を回転させながら自走式掃除部１２を図示左端の折り返し位置へ移動させ、折り返し位置まで移動すると折り返し位置センサ１６ｂからの情報に基づき元の待機位置へ戻すようにモータ１９が駆動される。なお、自走式掃除部１２は、モータ１９によりラック１４とかみ合っているピニオン１５が回転されることにより移動される。
【００３６】
目詰まり検出部２９は、エアフィルタ１１が目詰まりを生じた際に、目詰まり検出部２９を構成する風量センサの出力電圧が変化することに着目したもので、この出力電圧の変化を予め記憶部３０に記憶された電圧閾値と比較し、目詰まりであるかどうか判断するように構成されている。
【００３７】
記憶部３０は、ＲＯＭ型メモリ及び不揮発性ＲＡＭ型メモリにより構成されており、この投写型映像表示装置全体の制御プログラムが記憶されている他、エアフィルタ１１の目詰まり状態を判断するために必要な情報や、フィルタユニット１０を制御する掃除運転シーケンスのプログラムなどが記憶されている。フィルタユニット１０は、記憶部３０に記憶された記憶情報及びプログラムに従い制御部３１が作動して制御される。
【００３８】
制御部３１は、各部との信号のやり取りを行い、投写型映像表示装置全体の動作が支障なく行われるように各部を制御する。そして、フィルタユニット１０を駆動するときは、待機位置センサ１６ａ及び折り返し位置センサ１６ｂからの情報を受け取りながらモータ駆動部２８に対し必要な制御信号を送信する。
【００３９】
操作部３２は、ユーザが機器を操作するために設けられたものであって、運転スイッチ、キー、リモコン、外部コンピュータなどのユーザが操作する部分が含まれる。操作部３２から入力された情報は、制御部３１で処理されて、制御部３１から各部へ操作内容が伝達されて実行される。
【００４０】
全体電源部３３は、外部電源からの交流電力を導き、内蔵するＡＣ／ＤＣ変換部にて変圧、整流及び平滑などの処理を施して安定化させた直流電圧として各部に供給するように構成されている。
【００４１】
次に、本発明の実施の形態１に係るエアフィルタの掃除運転シーケンスについて、図３のフローチャートを参照しながら説明する。
この掃除運転シーケンスは、図３に示すように、全体電源部３３が商用電源等の電源に接続されると運転スイッチＯＮ待ちの所謂スタンバイ状態となる（ステップＳ１１）。次いで、ランプ点灯開始ボタンが押されたかを判断した後（ステップＳ１２）、点灯開始ボタンが押されていた場合（ステップＳ１２でＹＥＳの場合）はエアフィルタ１１の自動掃除運転が実行される（ステップＳ１３）。なお、点灯開始ボタンが押されていなかった場合（ステップＳ１２でＮＯの場合）はステップＳ１２の繰り返しとなる。本実施の形態に係る投写型映像表示装置においては、操作部３２に運転スイッチが設けられており、この運転スイッチのＯＮによりランプが点灯され，運転スイッチのＯＦＦによりランプが消灯される。したがって、本実施の形態において、ランプ点灯開始ボタンが押されたか否かは、投写型映像表示装置の運転スイッチがＯＮされた否かを意味する。なお、以下の実施の形態においても同様である。
【００４２】
上記のように本実施の形態においては、ランプ点灯開始ボタンが押されたときに、エアフィルタ１１が先ず自動掃除運転される。仮に、先の自動掃除運転途中において電源が切断された場合は、その後の運転開始時に自動掃除運転が再開される。
【００４３】
本実施の形態の投写型映像表示装置によれば、次の効果を奏することができる。
（１）本実施の形態によれば、掃除運転シーケンスの途中において電源が切断されたとしても、その後の投写型映像表示装置の運転時に未完の掃除運転シーケンスが実行されるので、この掃除運転シーケンスを完了することができる。仮に、自動掃除運転中に電源が切断された場合は、その後の運転開始時に再開される。
【００４４】
（２）また、本実施の形態によれば、投写型映像表示装置の運転開始時には、目詰まりしているか否かに関係なくエアフィルタ１１の自動掃除運転が行われる。したがって、起動時から冷却システムの吸気性能が回復されるので、起動時から効率のよい冷却効果を得ることができる。
【００４５】
実施の形態２
次に、実施の形態２の投写型映像表示装置について、図４のフローチャートを参照しながら説明する。この実施の形態２の投写型映像表示装置は、実施の形態１の投写型映像表示装置と比較して掃除運転シーケンスが異なる。以下、実施の形態１との相違点である掃除運転シーケンスを中心に説明する。
【００４６】
この実施の形態２の掃除運転シーケンスは、図４に示すように、本実施の形態におけるステップＳ２１〜ステップＳ２３は、実施の形態１におけるステップＳ１１〜ステップＳ１３と同一である。本実施の形態におけるランプ点灯開始ボタンは、実施の形態１の場合と同様に操作部３２の運転スイッチである。そして、ランプ点灯開始ボタンが押されて運転が開始されると、まずエアフィルタ１１の自動掃除運転が実行される。
【００４７】
次に、この運転開始時の自動掃除運転が終了した後は定常運転が行われるが、定常運転中はエアフィルタ１１の目詰まり検出部２９により、エアフィルタ１１が目詰まりしたかどうかが判断されている（ステップＳ２４）。目詰まり検出部２９による検出は、前述のように吸気ファン２７の出力電圧の変化に基づき判断されている。そして、エアフィルタ１１が目詰まりしていると判断された場合（ステップＳ２４においてＹＥＳの場合）には、エアフィルタ１１の自動掃除運転が実行される（ステップＳ２５）。また、この自動掃除運転が完了した後はランプ消灯ボタンが押されるまで、前述のステップＳ２４及びステップＳ２５が繰り返される（ステップＳ２６→ステップＳ２４→ステップＳ２５→ステップＳ２６参照）。ここで、本実施の形態において、ランプ点灯開始ボタンが押されたか否かは、投写型映像表示装置の運転スイッチがＯＦＦされた否かを意味する。なお、以下の実施の形態においても同様である。このように、本実施の形態においては、投写型映像表示装置の運転開始時に必ずエアフィルタ１１の自動掃除運転が実行されるとともに、定常運転中においてもエアフィルタ１１が目詰まりする都度エアフィルタ１１の自動掃除運転が実行される。
【００４８】
したがって、本実施の形態においては、上記掃除運転シーケンスの途中において電源が切断された場合、次の運転開始時には必ず掃除運転シーケンスが実行され、エアフィルタ１１の自動掃除運転が実行される。仮に、電源の切断が自動掃除運転途中の場合には、その後の運転開始時に自動掃除運転が再開される。
【００４９】
本実施の形態の投写型映像表示装置によれば、実施の形態１の効果（１）及び（２）の効果に加え、次の効果を奏することができる。
（３）また、投写型映像表示装置の定常運転中にエアフィルタ１１の目詰まりが検出された場合は、その都度エアフィルタ１１の自動掃除運転が行われ、吸気性能が回復される。したがって、投写型映像表示装置が長時間運転されるような用途に好適である。
【００５０】
実施の形態３
次に、実施の形態３の投写型映像表示装置について、図５及び図６のフローチャートを参照しながら説明する。この実施の形態３の投写型映像表示装置は、実施の形態１の投写型映像表示装置と比較して掃除運転シーケンスが異なる。以下、実施の形態１との相違点である掃除運転シーケンスを中心に説明する。
【００５１】
この実施の形態３の掃除運転シーケンスは、図５に示すように、実施の形態１の場合と同様、全体電源部３３が商用電源等の電源に接続されると運転スイッチのＯＮ待ちの所謂スタンバイ状態となり（ステップＳ３１）、ランプ点灯開始ボタンが押されたか判断される（ステップＳ３２）。そして、本実施の形態においては、点灯開始ボタンが押されていた場合（ステップＳ３２でＹＥＳの場合）は第１自動掃除運転サブルーチンが作動する（ステップＳ３３）。
【００５２】
第１自動掃除運転サブルーチンは、図６に示すように、エアフィルタ１１が目詰まりしていた場合にエアフィルタ１１の自動掃除運転を行うものである。すなわち、この第１自動掃除運転サブルーチンが開始されると、まず目詰まり状態を示す目詰まりフラグＦが１かどうか判断される（ステップＳ１１１）。目詰まりフラグＦは、目詰まり検出部２９により目詰まりが検出されたときに１に設定されて不揮発メモリに記憶され、エアフィルタ１１の自動掃除運転が終了したときに０にリセットされる。目詰まりフラグＦの判断において目詰まりフラグＦが１と判断されたときには（つまり、エアフィルタ１１が目詰まりしているときには）、エアフィルタ１１の自動掃除運転が行われる（ステップＳ１１２）。さらに、この自動掃除運転が終了したときに、目詰まりフラグＦが０にリセットされて（ステップＳ１１３）、この第１自動掃除運転サブルーチンが終了される。したがって、本実施の形態においては、投写型映像表示装置の運転開始時においては、エアフィルタ１１が目詰まりしている状態の場合のみエアフィルタ１１の自動掃除運転が行われる。
【００５３】
次に、第１自動掃除運転サブルーチンが終了すると、定常運転となりエアフィルタ１１の目詰まりが検出されるまで、目詰まり検出部２９によりエアフィルタ１１の目詰まり状態が繰り返し検出される（ステップＳ３４）。そして、エアフィルタ１１が目詰まりしていることが検出された場合には、エアフィルタ１１の目詰まり状態を表す目詰まりフラグＦが１にセットされるとともに不揮発性メモリに記憶される（ステップＳ３５）、前述の第１自動掃除運転サブルーチンが実行される（ステップＳ３６）。このように、本実施の形態においては、投写型映像表示装置の定常運転中においてエアフィルタ１１の目詰まりが生じた場合には、その都度エアフィルタ１１の自動掃除運転が行われる（ステップＳ３７でＮＯ→ステップＳ３４→ステップＳ３５→ステップＳ３６→ステップＳ３７）。また、この掃除運転シーケンスにおいて電源が切断されたとき（ステップＳ３７でＹＥＳ）は、切断時における目詰まりフラグＦの状態が不揮発性メモリに記憶されたままとなる。
【００５４】
したがって、本実施の形態において上記掃除運転シーケンスの途中に電源が切断された場合には、その後の運転開始時及び定常運転中においてエアフィルタ１１が目詰まりしたとき又はしているときに必ず自動掃除運転が行われる。また、仮に自動掃除運転途中に電源が切断された場合には、目詰まりフラグＦが０にリセットされずに終了されるので、その後の運転開始時に目詰まりフラグＦが１となっている。したがって、この運転開始時においては、第１自動掃除運転サブルーチンが始動され、エアフィルタ１１の自動掃除運転が再開される。
【００５５】
本実施の形態の投写型映像表示装置によれば、実施の形態１の効果（１）に加え、実施の形態２に係る（３）と同様の効果を奏するとともに、次の効果を奏することができる。
（４）前述の実施の形態２の場合には、投写型映像表示装置の運転開始時においてエアフィルタ１１が目詰まりしているか否かに関係なくエアフィルタ１１の自動掃除運転が行われていた。しかし、本実施の形態の場合には、目詰まりフラグＦの値が１の場合にのみ、つまり、エアフィルタ１１の目詰まりが生じている場合にのみエアフィルタ１１の自動掃除運転が行われる。したがって、無駄の少ない合理的な運転が行われる。
【００５６】
（５）さらに、実施の形態２の場合と同様に、投写型映像表示装置の定常運転中にエアフィルタ１１の目詰まりが検出された場合には、その都度エアフィルタ１１の自動掃除運転が行われ、吸気性能が回復される。したがって、投写型映像表示装置が長時間運転されるような用途に好適である。
【００５７】
実施の形態４
次に、実施の形態４の投写型映像表示装置について、図７及び図８のフローチャート及び図９のタイミングチャートを参照しながら説明する。この実施の形態４の投写型映像表示装置は、実施の形態１の投写型映像表示装置と比較して主として掃除運転シーケンスが異なる。また、制御装置も一部の点で相違する。以下、実施の形態１との相違点を中心に説明する。
【００５８】
まず、制御装置の相違点について説明する。実施の形態１においては、エアフィルタ１１の目詰まりを検出するために目詰まり検出部２９が用いられていたが、本実施の形態においては、これに代わりエアフィルタ１１の累積使用時間Ｔを測定する時間計測部が用いられる。なお、この点については図示しないが、図２においては目詰まり検出部２９に代わり、エアフィルタ１１の累積使用時間Ｔを測定する時間計測部が用いられているものと考えればよい。
【００５９】
ここで、エアフィルタ１１の累積使用時間Ｔについて説明する。投写型映像表示装置のランプ点灯開始ボタンが押されて投写型映像表示装置の運転が始動されると、冷却のために吸気動作が開始され、エアフィルタ１１が使用される。また、投写型映像表示装置のランプ消灯ボタンが押されると、吸気動作が停止される。したがって、エアフィルタ１１の使用時間はこの吸気動作の開始から停止までの時間であり、エアフィルタ１１の累積使用時間Ｔはこの使用時間の累積である。また、この実施の形態においてはエアフィルタ１１の累積使用時間Ｔは、この投写型映像表示装置の累積運転時間と同じである。なお、この定義については、以下の説明においても同様とする。
【００６０】
本実施の形態に係る掃除運転シーケンスは、前記時間計測部で計測された累積使用時間Ｔが予め設定された設定時間Ｔａ以上になったときにそのことが不揮発メモリに記憶されるとともに、エアフィルタ１１の自動掃除運転が行われる。なお、エアフィルタ１１の目詰まりは、投写型映像表示装置の使用環境が必ずしも一定ではないので、累積使用時間Ｔからエアフィルタ１１の目詰まりを推測しても正確性を欠くが、ある程度の時間幅を持って推測することができると考えられる。したがって、前述の設定時間Ｔａはこの時間幅を考慮に入れて設定されている。
【００６１】
そして、本実施の形態に係る掃除運転シーケンスは、図７に示すように、実施の形態１の場合と同様、全体電源部３３が商用電源等の電源に接続されると運転スイッチＯＮ待ちの所謂スタンバイ状態となる（ステップＳ４１）。そして、ランプ点灯開始ボタンが押されたか判断される。次いで、ランプ点灯開始ボタンが押された場合（ステップＳ４２でＹＥＳの場合）は第２自動掃除運転サブルーチンが作動する（ステップＳ４３）。
【００６２】
第２自動掃除運転サブルーチンは、図８に示すように、エアフィルタ１１の累積使用時間Ｔが、予め定められえた設定時間Ｔａ以上になった場合に、エアフィルタ１１の自動掃除運転を行うものである。すなわち、この第２自動掃除運転サブルーチンが開始されると、まずエアフィルタ１１の累積使用時間Ｔが設定時間Ｔａ以上となっているかどうかが判断される（ステップＳ２１１）。累積使用時間Ｔが設定時間Ｔａより大きいときには、つまり、エアフィルタ１１が目詰まりのおそれがあるときには、エアフィルタ１１の自動掃除運転が行われる（ステップＳ２１２）。そして、この自動掃除運転が終了したときに、累積使用時間Ｔが０にリセットされて（ステップＳ２１３）、この第２自動掃除運転サブルーチンが終了される。したがって、本実施の形態に係る投写型映像表示装置の運転開始時においては、累積使用時間Ｔが設定時間Ｔａ以上となっている状態の場合にのみエアフィルタ１１の自動掃除運転が行われる。
【００６３】
次に、第２自動掃除運転サブルーチンが終了すると、定常運転となり累積使用時間Ｔが０から新たにカウントされる（ステップＳ４４）。そして、この投写型映像表示装置が運転停止されるまでの間、このエアフィルタ１１の累積使用時間Ｔがカウントされるとともに記憶されている累積使用時間Ｔが更新され、前述の第２自動掃除運転のサブルーチンに入る前のステップに戻る（ステップＳ４５でＮＯ→ステップＳ４３→ステップＳ４４→ステップＳ４５）。したがって、本実施の形態に係る投写型映像表示装置の定常運転時においては、エアフィルタ１１の累積使用時間Ｔが設定時間Ｔａ以上となった場合（ステップＳ２１１）、その都度エアフィルタ１１の自動掃除運転が行われる（ステップＳ２１２、ステップＳ２１３）。また、この掃除運転シーケンスにおいて電源が切断されたときは、切断時における累積使用時間Ｔが記憶されたままとなる。例えば、通常運転中において電源が切断されて運転が停止された場合は、この停止までのエアフィルタ１１の使用時間（これは投写型映像表示装置の運転時間に等しい）が記憶されている。また、自動掃除運転中に電源が切断された場合は累積使用時間Ｔが０にリセットされていないので、自動掃除運転開始時の累積使用時間Ｔ（設定時間Ｔａ以上の値）がそのまま不揮発性メモリに記憶されている。
【００６４】
以上のごとく、本実施の形態においては、上記掃除運転シーケンスの途中において電源が切断された場合並びにその後の運転開始時及び定常運転中において、累積使用時間Ｔが設定時間Ｔａ以上となった場合には、必ずエアフィルタ１１の自動掃除運転が行われる。また、仮に自動掃除運転途中に電源が切断された場合には、その後の運転開始時に累積使用時間Ｔが設定時間Ｔａ以上となっているので、第２自動掃除運転サブルーチンが始動され、エアフィルタ１１の自動掃除運転が再開される。このような運転動作を、図９のタイミングチャートに示す。
【００６５】
図９において、投写型映像表示装置は、運転開始からｔ１，ｔ２，ｔ４の時間経過後にエアフィルタ１１の累積使用時間Ｔが設定値Ｔａ以上となったので、投写型映像表示装置は視聴運転を継続しているが、この運転と並行してエアフィルタ１１の自動掃除運転が行われる。
【００６６】
しかし、運転開始からｔ２時間経過後の自動掃除運転中においては、自動掃除運転の途中で電源が切断され、これにより通常の掃除時間Ｒｔより短いＲｔａで自動掃除運転が中断されている。このため、この運転終了時には累積使用時間Ｔが０にリセットされてない。また、その後に運転を開始すると、運転開始に伴いステップＳ４１，Ｓ４２，Ｓ４３と進んで第２自動掃除運転サブルーチンが開始されるが、この場合には累積使用時間Ｔが設定時間Ｔａより大きい。したがって、ｔ３時間経過後の自動掃除運転の開始に伴い、自走式掃除部１２が電源切断時の停止位置から移動することになり、残されていた自動掃除運転が行われる。この結果、通常より短い時間Ｒｔｂで自動掃除運転が完了している。
【００６７】
なお、運転開始からｔ１，ｔ２と進んでいく途中において３度運転が発停されているが、このときは累積使用時間Ｔが設定時間Ｔａ以下であるので、エアフィルタ１１の自動掃除運転が行われずに単に記憶された累積使用時間Ｔがそのまま次の運転再開時に継続される。
【００６８】
本実施の形態の投写型映像表示装置によれば、実施の形態１の効果（１）に加え、次の効果を奏することができる。
（５）投写型映像表示装置の運転中において累積使用時間Ｔが設定時間Ｔａに達した場合は、実際のエアフィルタ１１の目詰まり状態とは関係なくエアフィルタ１１の自動掃除運転が行われる。また、仮に、このエアフィルタ１１の掃除運転シーケンスの途中において電源が切断された場合には、その後の運転開始時に再開される。このように本実施の形態によれば、目詰まり状態を検出する目詰まり検出部２９を用いることなくエアフィルタ１１の自動掃除運転を実行し、吸気性能を確実に回復することができる。
【００６９】
実施の形態５
次に、実施の形態５の投写型映像表示装置について、図１０及び図６のフローチャートを参照しながら説明する。この実施の形態５の投写型映像表示装置は、実施の形態１の投写型映像表示装置と比較して掃除運転シーケンスが異なる。以下、実施の形態１との相違点である掃除運転シーケンスを中心に説明する。
【００７０】
この実施の形態５の掃除運転シーケンスは、図１０に示すように、実施の形態１の場合と同様、全体電源部３３が商用電源等の電源に接続されると運転スイッチＯＮ待ちの所謂スタンバイ状態となる（ステップＳ５１）。そして、ランプ点灯開始ボタンが押されたか判断される。次いで、ランプ点灯開始ボタンが押された場合（ステップＳ５２でＹＥＳの場合）は第１自動掃除運転サブルーチンが作動する（ステップＳ５３）。
【００７１】
第１自動掃除運転サブルーチンは、実施の形態３において説明したものと同様であり、その内容は前述の図６に示したものと同一である。すなわち、図６に示すように、第１自動掃除運転サブルーチンが開始されると、まずエアフィルタ１１の目詰まり状態を示す目詰まりフラグＦが１かどうか判断される（ステップＳ１１１）。目詰まりフラグＦが１の場合は、すなわち、エアフィルタ１１が目詰まりしている場合はエアフィルタ１１の自動掃除運転が行われる（ステップＳ１１２）。そして。この自動掃除運転が終了したときに、目詰まりフラグＦが０にリセットされて（ステップＳ１１３）、この第１自動掃除運転サブルーチンが終了される。したがって、投写型映像表示装置の運転開始時においては、エアフィルタ１１が目詰まりしている状態の場合のみエアフィルタ１１の自動掃除運転が行われる。
【００７２】
次に、第１自動掃除運転サブルーチンが終了すると、定常運転となりエアフィルタ１１の目詰まりが検出されるまで、目詰まり検出部２９によりエアフィルタ１１の目詰まり状態が繰り返し検出される（ステップＳ５４）。そして、エアフィルタ１１が目詰まりしていることが検出された場合には、エアフィルタ１１の目詰まり状態を表す目詰まりフラグＦが１にセットされるとともに不揮発メモリに記憶される（ステップＳ５５）。なお、この検出は、ランプ消灯ボタンが押されるまで（すなわち、運転スイッチがＯＦＦされるまで）継続される（ステップＳ５６でＮＯ→ステップＳ５４→ステップＳ５５→ステップＳ５６）。
【００７３】
このように、本実施の形態においては、投写型映像表示装置の運転開始時において、目詰まりフラグＦが１の場合（エアフィルタ１１が目詰まりしている場合）のみ、エアフィルタ１１の自動掃除運転が行われる。また、定常運転中は、エアフィルタ１１の目詰まり状況が監視され、エアフィルタ１１が目詰まりしたときは目詰まりフラグＦが１にセットされ記憶されるが、エアフィルタ１１の自動掃除運転は行われない。したがって、定常運転中は、エアフィルタ１１の目詰まりが監視されているのみである。また、この掃除運転シーケンスにおいて電源が切断されたときは、切断時における目詰まりフラグＦの状態が不揮発性メモリに記憶されたままとなり、その後の運転開始時には第１自動掃除運転サブルーチンの作動によりエアフィルタ１１の自動掃除運転が再開される。
【００７４】
本実施の形態の投写型映像表示装置によれば、実施の形態１の効果（１）に加え、次の効果を奏することができる。
（６）投写型映像表示装置の運転開始時において、目詰まりフラグＦの値が１の場合にのみ、つまり、エアフィルタ１１の目詰まりが生じている場合にのみエアフィルタ１１の自動掃除運転が行われ、定常運転中は、自動掃除運転が行われない。したがって、自動掃除運転の騒音により投写型映像表示装置の視聴が妨げられることがない。
【００７５】
（７）本掃除運転シーケンスにおいて、電源の切断によりエアフィルタ１１の自動掃除運転が未完のまま電子機器の運転が終了している場合には、自動掃除運転途中の状態で停止されるとともに、目詰まりフラグが１のまま記憶されている状態となる。このため、その後の電子機器の運転開始時においては、目詰まりフラグが１であるため第１自動掃除運転サブルーチンの作動によりエアフィルタ１１の自動掃除運転が再開される。
【００７６】
（実施の形態６）
次に、実施の形態６の投写型映像表示装置について、図１１及び図８のフローチャート及び図１２のタイミングチャートを参照しながら説明する。この実施の形態６の投写型映像表示装置は、実施の形態１の投写型映像表示装置と比較して主として掃除運転シーケンスが異なるが、制御装置も一部の点で相違する。以下、実施の形態１との相違点を中心に説明する。
【００７７】
まず。制御装置の相違点についてであるが、これは前述の実施の形態４の場合と同様である。すなわち、本実施の形態における制御ブロック図は、実施の形態４と同一であって、図２において目詰まり検出部２９に代わりに前述の時間計測部が用いられている。
【００７８】
次に、掃除運転シーケンスは、実施の形態４の場合と同様、前記時間計測部で計測された累積使用時間Ｔが予め設定された設定時間Ｔａ以上となっている場合に、エアフィルタ１１の自動掃除運転を行うという基本思想において類似するが、実際の制御内容は実施の形態４とは異なる。以下、この内容について具体的に説明する。
【００７９】
本実施の形態に係る掃除運転シーケンスは、実施の形態１の場合と同様、全体電源部３３が商用電源等の電源に接続されると運転スイッチＯＮ待ちの所謂スタンバイ状態となる（ステップＳ６１）。そして、ランプ点灯開始ボタンが押されたか判断される。次いで、ランプ点灯開始ボタンが押された場合（ステップＳ６２でＹＥＳの場合）は第２自動掃除運転サブルーチンが作動する（ステップＳ６３）。
【００８０】
第２自動掃除運転サブルーチンは、実施の形態４において説明したものと同様であり、その内容は前述の図８に示したものと同一である。すなわち、図８に示すように、第２自動掃除運転サブルーチンが開始されると、まず累積使用時間Ｔが設定時間Ｔａより大きいかどうか判断される（ステップＳ２１１）。累積使用時間Ｔが設定時間Ｔａより大きいときに、つまり、エアフィルタ１１が目詰まりのおそれがあるときにエアフィルタ１１の自動掃除運転が行われる（ステップＳ２１２）。そして、この自動掃除運転が終了したときに、累積使用時間Ｔが０にリセットされて（ステップＳ２１３）、この第２自動掃除運転サブルーチンが終了する。したがって、投写型映像表示装置の運転開始時においては、エアフィルタ１１が目詰まりしている状態の場合のみエアフィルタ１１の自動掃除運転が行われる。
【００８１】
次に、第２自動掃除運転サブルーチンが終了すると、ランプ消灯ボタンが押されるまで累積使用時間Ｔがカウントされ、不揮発メモリに記憶されている累積使用時間Ｔが更新される（ステップＳ６４、ステップＳ６５）。したがって、第２自動掃除運転サブルーチンが実行された後の定常運転においては、エアフィルタの累積使用時間Ｔがカウントされるのみで、エアフィルタ１１の自動掃除運転は行われない。また、この掃除運転シーケンスにおいて電源が切断されたときは、切断時におけるエアフィルタ１１の自動掃除運転が不揮発性メモリに記憶されたままとなる。また、仮に自動掃除運転途中に電源が切断された場合には、その後の運転開始時において累積使用時間Ｔが設定時間Ｔａ以上となっているので、第２自動掃除運転サブルーチンが始動され、エアフィルタ１１の自動掃除運転が再開される。このような運転動作を、図１２のタイミングチャートに示す。
【００８２】
図１２において、投写型映像表示装置は、運転開始からｔ１１，ｔ１３，ｔ１４の時間経過後に投写型映像表示装置が一端停止された状態から運端が再開されるが、この時点では、エアフィルタ１１の累積使用時間Ｔがそれぞれ設定時間Ｔａ以上となっていない。したがって、この運転停止及び開始の時には、エアフィルタ１１の自動掃除運転は行われない。ただし、運転停止時の累積使用時間Ｔはその後の運転時に継続される。また、運転開始からｔ１５，ｔ１６の時間経過後には累積使用時間Ｔが設定時間Ｔａ以上となっているが定常運転中であるためエアフィルタ１１の自動掃除運転は行われない。一方、運転開始からｔ２１，ｔ２２の時間経過後には累積使用時間Ｔが設定時間Ｔａ以上となっているとともに、運転が停止状態から開始されるときであるため、エアフィルタ１１の自動掃除運転が行われ、吸気機能の回復が図られる。
【００８３】
本実施の形態の投写型映像表示装置によれば、実施の形態１の効果（１）に加え、次の効果を奏することができる。
（８）投写型映像表示装置の運転開始時において累積使用時間Ｔが設定時間Ｔａ以上となっている場合、つまり、運転開始時にエアフィルタ１１の目詰まりが生じている場合にのみエアフィルタ１１の自動掃除運転が行われ、定常運転中は、自動掃除運転が行われない。したがって、自動掃除運転の騒音により投写型映像表示装置の視聴が妨げられることがない。
【００８４】
（９）本掃除運転シーケンスにおいて、電源の切断によりエアフィルタ１１の自動掃除運転が未完のまま電子機器の運転が終了された場合には、累積使用時間Ｔが設定時間Ｔａ以上となっているため、その後の電子機器の運転開始時においては、エアフィルタ１１の自動掃除運転が再開される。
【００８５】
（変形例）
本発明は、上記実施の形態において以下のように変更することができる。
・実施の形態１において、目詰まり検出部２９は、掃除運転シーケンスに直接関与していないので省略することができる。
【００８６】
・また、実施の形態２，３，５において、目詰まり検出部２９は、風量センサの出力電圧の変化を検出してエアフィルタの目詰まりを判断するものを用いているが、このようなものに限定されない。例えば、エアフィルタの通風抵抗、風量などの変化により目詰まりを検出するようなものとしてもよい。
【００８７】
・また、第４及び第６の実施の形態において、設定時間Ｔａをユーザが設定できるようにしたものとしてもよい。設定時間Ｔａは、エアフィルタ１１の目詰まりを予測して設定されるのが理想的であるが、使用条件によりそれぞれ異なるため画一的に数値を決めることが難しい。したがって、設置状況から見て過酷な条件かそれほどでもないなどの大まかな環境評価をユーザが行い、それに基づいて設定値を決めることができるようにしてもよい。
【００８８】
・本実施の形態においては、電子機器として投写型映像表示装置を掲げていたが、電子機器はこれに限定されるものではなく、コンピュータ、パソコンなどの冷却空気を機外から取り入れるような他の電子機器でもよく、また、エアコン、加湿器などの空気処理を行う機器を対象とするものに応用してもよい。
【符号の説明】
【００８９】
Ｆ…目詰まりフラグ、Ｔ…累積使用時間、Ｔａ…設定時間、３…空気吸込口、１１…エアフィルタ。
【図１】
2011258708.tif 000003
【図２】
2011258708.tif 000004
【図３】
2011258708.tif 000005
【図４】
2011258708.tif 000006
【図５】
2011258708.tif 000007
【図６】
2011258708.tif 000008
【図７】
2011258708.tif 000009
【図８】
2011258708.tif 000010
【図９】
2011258708.tif 000011
【図１０】
2011258708.tif 000012
【図１１】
2011258708.tif 000013
【図１２】
2011258708.tif 000014